(57)【要約】【課題】  光学式ピックアップによりディスクに信号を記録することが出来る光ディスク記録再生装置の記録制御方法を提供する。【解決手段】  ホスト機器から送信される記録信号を一時的に記憶する記録用バッファメモリー１５を設け、記録開始命令に基づく光学式ピックアップ４の記録開始セクターへの移動動作時、記録開始セクターへの移動が正常に行えない場合リトライ動作を行い、リトライ動作が行われたとき前記記録用バッファメモリー１５に記憶されている記録信号の量を検出し、検出される記録信号の量が所定量を超えているとき、記録開始位置を次のセクターに変更する。【選択図】    図１
2005293674.tif 000002
【特許請求の範囲】
【請求項１】
ホスト機器から連続して送信される記録信号をディスクにセクター単位で記録するように構成された光ディスク記録再生装置の記録制御方法であり、ホスト機器から送信される記録信号を一時的に記憶する記録用バッファメモリーを設け、記録開始命令に基づく光学式ピックアップの記録開始セクターへの移動動作時、記録開始セクターへの移動が正常に行えない場合リトライ動作を行い、リトライ動作が行われたとき前記記録用バッファメモリーに記憶されている記録信号の量を検出し、検出される記録信号の量が所定量を超えているとき、記録開始位置を次のセクターに変更するようにしたことを特徴とする光ディスク記録再生装置の記録制御方法。
【請求項２】
次のセクターへの記録開始位置の変更動作が行われたとき、記録用バッファメモリーに記憶されている記録信号の量に基づいて該記録用バッファメモリーに記憶されている記録信号の中から記録開始動作にてディスクに記録される記録信号の選択動作を行うようにしたことを特徴とする請求項１に記載の記録制御方法。
【請求項３】
次のセクターへの移動動作が正常に行えない場合、記録異常として処理するようにしたことを特徴とする請求項１に記載の記録制御方法。
【発明の詳細な説明】
【技術分野】
【０００１】
本発明は、光学式ピックアップより照射されるレーザー光によってディスクに信号を記録するように構成された光ディスク記録再生装置の記録制御方法に関する。
【背景技術】
【０００２】
光学式ピックアップを用いてディスクに記録されている信号の読み出し動作を行う光ディスク再生装置が普及しているが、再生機能に加えて光学式ピックアップより照射されるレーザー光によってディスクに信号を記録することが出来るように構成された光ディスク記録再生装置が商品化されている。
【０００３】
光ディスク記録再生装置としては、ＣＤと呼ばれるディスクを使用する装置が普及しているが、最近ではＤＶＤと呼ばれるディスクを使用する装置が普及しつつある。斯かるＤＶＤディスクを使用する光ディスク記録再生装置は、ＣＤと比較して記録容量が大きいため、映像信号を長時間記録することが出来るという特徴を有している。
【０００４】
ＤＶＤディスクを使用する光ディスク記録再生装置は、ホスト機器であるコンピューター装置と接続されて使用されることが多いが、最近ではテレビジョン放送を受信して得られる映像信号やオーディオ信号をディスクに記録するようにされた装置が製品化されている。斯かる光ディスク記録再生装置において、ディスクへの信号の記録動作は、ディスクの規格に基づいて行われるが、入力される記録信号はバッファメモリーと呼ばれるメモリーに一旦記憶された後読み出されてディスクに記録するようにされている(例えば、特許文献１参照。)。
【特許文献１】特開２００１−６７８０４号公報
【発明の開示】
【発明が解決しようとする課題】
【０００５】
テレビジョン放送を受信して得られる映像信号やオーディオ信号等より成る記録信号をディスクに記録する場合には、入力される記録信号は途切れることはなく、即ち連続して光ディスク記録再生装置に入力される。従って、記録動作の開始時、光学式ピックアップをディスク上の記録開始位置、即ち記録を開始させるセクター位置に速やかに移動させる必要がある。
【０００６】
光学式ピックアップをを記録開始セクターに移動させる動作は、ディスクに形成されているプリグルーブと呼ばれる蛇行した溝から得られるアドレスを利用して急速に行われるが、記録開始セクターの位置の検出動作が正常に行われない場合があり、斯かる場合には記録開始位置への移動動作を再度行うリトライと呼ばれる動作が繰り返し行われる。斯かるリトライ動作が繰り返し行われると、記録開始セクターへの光学式ピックアップの移動動作が遅れるので、その位置から記録動作を開始させるまでに要する時間が長くなり、その結果、記録信号が一旦記憶されるように設けられているバッファメモリーの容量以上に記録信号が入力されて記録信号がオーバーフローするという問題がある。
【０００７】
本発明は、斯かる問題を解決することが出来る光ディスク記録再生装置の記録制御方法を提供しようとするものである。
【課題を解決するための手段】
【０００８】
本発明は、ホスト機器から送信される記録信号を一時的に記憶する記録用バッファメモ
リーを設け、記録開始命令に基づく光学式ピックアップの記録開始セクターへの移動動作時、記録開始セクターへの移動が正常に行えない場合リトライ動作を行い、リトライ動作が行われたとき前記記録用バッファメモリーに記憶されている記録信号の量を検出し、検出される記録信号の量が所定量を超えているとき、記録開始位置を次のセクターに変更するように構成されている。
【０００９】
また、本発明は、次のセクターへの記録開始位置の変更動作が行われたとき、記録用バッファメモリーに記憶されている記録信号の量に基づいて該記録用バッファメモリーに記憶されている記録信号の中から記録開始動作にてディスクに記録される記録信号の選択動作を行うように構成されている。
【００１０】
そして、本発明は、次のセクターへの移動動作が正常に行えない場合、記録異常として処理するように構成されている。
【発明の効果】
【００１１】
本発明は、ホスト機器から送信される記録信号を一時的に記憶する記録用バッファメモリーを設け、記録開始命令に基づく光学式ピックアップの記録開始セクターへの移動動作時、記録開始セクターへの移動が正常に行えない場合リトライ動作を行い、リトライ動作が行われたとき前記記録用バッファメモリーに記憶されている記録信号の量を検出し、検出される記録信号の量が所定量を超えているとき、記録開始位置を次のセクターに変更するようにしたので、無駄なリトライ動作が行われることを防止することが出来る。
【００１２】
また、本発明は、次のセクターへの記録開始位置の変更動作が行われたとき、記録用バッファメモリーに記憶されている記録信号の量に基づいて該記録用バッファメモリーに記憶されている記録信号の中から記録開始動作にてディスクに記録される記録信号の選択動作を行うようにしたので、記録信号の欠落動作を必要最小限に抑えることが出来る。
【００１３】
そして、本発明は、次のセクターへの移動動作が正常に行えない場合、記録異常として処理するようにしたので、無駄なリトライ動作を防止することが出来る。
【発明を実施するための最良の形態】
【００１４】
本発明は、記録信号が一時的に記憶されるバッファメモリーに記憶されている記録信号の量を検出することによって記録開始セクターへの移動動作を制御するように構成されている。
【実施例】
【００１５】
図１は本発明の記録制御方法に係る光ディスク記録再生装置の一実施例を示す回路図、図２は本発明に係るバッファメモリーの容量を説明するための説明図である。
【００１６】
図１において、１はスピンドルモーター２によって回転駆動されるターンテーブル３に載置されるディスクであり、内周側には記録動作を行う場合にディスクの記録特性に合わせてレーザー出力を設定するためにテスト信号が記録される試し書き領域が設けられている。また、斯かるディスク１には、位置情報データがプリグルーブと呼ばれる溝によって記録されており、この溝より得られるウォブル信号に基づいて信号の記録再生動作が行われるように構成されている。
【００１７】
４は前記ディスク１に記録されている信号の読み出し動作及び該ディスク１への信号の記録動作を行うレーザー光を照射する光学式ピックアップであり、図示しないが、レーザー光を放射するレーザーダイオード、該レーザーダイオードから照射されるレーザー光のレベルをモニターするモニター用ダイオード、ディスク１の信号面から反射されるレーザ
ー光を受ける光検出器、対物レンズ、該対物レンズをディスク面に対して垂直方向へ変位させるフォーカシングコイル及び該対物レンズをディスク１の径方向へ変位させるトラッキングコイルが周知のように組み込まれているとともにピックアップ送り用モーター(図示せず)によってディスク１の径方向へ変位せしめられるように構成されている。
【００１８】
５は前記光学式ピックアップ４に組み込まれている光検出器から得られる信号が入力されるとともに該信号を増幅するＲＦ信号増幅回路であり、ＲＦ信号を波形整形するとともに２値化した信号を出力するように構成されている。６は前記光検出器より得られる信号から生成されるフォーカスエラー信号及びトラッキングエラー信号に基づいてレーザー光をディスク１の信号面に合焦させるフォーカシング制御動作及び該レーザー光を信号トラックに追従させるトラッキング制御動作を行うピックアップ制御回路であり、フォーカスエラー信号に基づくフォーカシング制御信号及びトラッキングエラー信号に基づくトラッキング制御信号を出力するように構成されている。
【００１９】
７は前記ピックアップ制御回路６より出力されるフォーカシング制御信号及びトラッキング制御信号が入力される駆動回路であり、入力される制御信号に基づく駆動信号を前記光学式ピックアップ４に組み込まれているフォーカシングコイル及びトラッキングコイルに供給するように構成されている。
【００２０】
８は前記ＲＦ信号増幅回路５から出力される２値化信号が入力されるとともに該信号の処理動作を行うデジタル信号処理回路であり、各種信号の復調処理動作を行うように構成されている。９は前記デジタル信号処理回路８によって復調された信号が入力される信号再生用回路であり、再生された信号のエラー訂正処理動作等を行うために設けられている再生用バッファメモリー１０への信号の書き込み動作及び読み出し動作を制御することによって信号の再生動作、即ち映像信号やオーディオ信号の復調動作を行うように構成されている。
【００２１】
１１は光ディスク記録再生装置の各動作を制御するシステム制御回路、１２はホスト機器として光ディスク記録再生装置と接続されて使用されるコンピューター装置であり、インターフェース回路１３を介して前記信号再生用回路９及びシステム制御回路１１と接続されている。前記コンピューター装置１２は、テレビジョン放送を受信する受信機が組み込まれており、受信された信号から得られる映像信号やオーディオ信号をインターフェース回路１３を介して光ディスク記録再生装置に対して出力するように構成されている。
【００２２】
１４は前記コンピューター装置１２から出力される記録信号がインターフェース回路１３及びシステム制御回路１１を介して入力されるとともにディスク１に記録するための信号をエンコード処理する信号記録用回路、１５は記録信号が一時的に記憶される記録用バッファメモリーであり、システム制御回路１１の制御動作に基づく信号記録用回路１４の読み出し動作に基づいて記録信号の読み出し動作が行われるように構成されている。１６は前記信号記録用回路１４によってエンコード処理された記録信号が入力されるとともに記録信号に応じたパルス信号である駆動信号を光学式ピックアップ４に組み込まれているレーザーダイオードに供給するように構成されている。
【００２３】
１７は前記スピンドルモーター２を回転駆動するスピンドルモーター駆動回路であり、前記システム制御回路１１から出力される制御信号によってディスク１の回転動作を制御するように構成されている。ディスク１の回転駆動動作は、線速度が一定になるように行われるが、斯かる制御動作はディスク１に形成されているプリグルーブから得られる同期信号と基準信号生成回路(図示せず)から生成される基準クロック信号とを同期させるように制御することによって行われる。
【００２４】
斯かる構成において、光ディスク記録再生装置における記録動作等の各制御動作は、システム制御回路１１に組み込まれているＲＯＭ(図示せず)に記憶されているプログラムソフトに基づいて行われるが、各制御動作を開始させるための命令信号はコンピューター装置１２から出力されるように構成されている。
【００２５】
以上に説明したように本発明に係る光ディスク記録再生装置は構成されているが、次に動作について説明する。コンピューター装置１２からディスク１に記録されている信号を再生するための命令信号が出力されると、斯かる命令信号がインターフェース回路１３を通してシステム制御回路１１に入力される。
【００２６】
斯かる再生動作を行うための命令信号がシステム制御回路１１に入力されると、ＲＯＭに記憶されている再生動作を行うためのプログラムソフトに基づく制御動作が開始されることになる。斯かる再生のための動作が行われる前にディスク１の内周側に設けられているリードイン領域に記録されているディスク情報の読み出し動作が行われる。即ち、斯かる動作は、ディスク１を光ディスク記録再生装置に設けられているターンテーブル３上に載置させたときに行われるように構成されている。
【００２７】
即ち、再生動作を行うためにディスク１をターンテーブル３上に載置させると、ピックアップ制御回路６によるフォーカス制御動作が行われ、光学式ピックアップ４から照射されるレーザー光が信号面に合焦されるか否かの判定動作が行われる。斯かる合焦動作が正常に行われたと判定されるとディスク１がターンテーブル３上に載置されていることが認識される。斯かる認識動作が行われると、スピンドルモーター駆動回路１７によるスピンドルモーター２の回転駆動動作が開始されるとともにピックアップ制御回路６によるトラッキング制御動作が開始される。
【００２８】
前記スピンドルモーター駆動回路１７による回転駆動動作は、リードイン領域における線速度が所定の範囲の速度に入るように行われる。斯かる速度にて回転駆動されるディスク１に対するフォーカス制御動作及びトラッキング制御動作が行われると、ディスク１に形成されているプリグルーブにて記録されている同期信号の読み出し動作が行われることになる。斯かる同期信号の読み出し動作が開始されると、斯かる同期信号の抽出動作がデジタル信号処理回路８にて行われるとともに該同期信号と基準信号生成回路から出力される同期信号との同期合わせ処理動作が行われることになる。斯かる動作は、周知のようにＰＬＬと呼ばれる回路によって行われるので、その説明は省略する。
【００２９】
前述した動作が行われる結果、ディスク１のリードイン領域に記録されているディスク情報の読み出し動作を行うことが出来る。斯かるディスク情報は、ディスク１に記録されている映像信号等の記録位置を示すものである。このようにしてディスク１に記録されている信号の位置を認識することが出来るので、コンピューター装置１２から所望の情報の再生動作を行うために出力される命令信号に基づく制御動作を行うことが出来る。
【００３０】
斯かる再生動作は、ディスク１から得られるアドレスデータを利用し、光学式ピックアップ４を所望の信号が記録されている位置に移動させることによって行われるが、斯かる動作は一般にサーチ動作と呼ばれている。斯かるサーチ動作によって光学式ピックアップ４が所望の信号が記録されている位置に移動するとディスク１からの信号の読み出し動作が開始される。光学式ピックアップ４に組み込まれている光検出器によって電気信号に変換された再生信号は、ＲＦ信号増幅回路５に入力されるとともに２値化されてデジタル信号処理回路８に対して出力される。
【００３１】
斯かる信号がデジタル信号処理回路８に入力されると、該デジタル信号処理回路８によるデコード処理が行われ、デコードされた再生信号が信号再生用回路９に出力される。斯
かる再生信号が信号再生用回路９に入力されると、該信号再生用回路９によるエラー訂正処理動作等が行われるが、斯かる処理動作は再生用バッファメモリー１０への該再生信号の書き込み及び読み出し動作を繰り返し行うことによって行われる。
【００３２】
前記信号再生用回路９による信号処理動作が行われる結果、映像信号やオーディオ信号の復調動作が行われ、斯かる映像信号やオーディオ信号がインターフェース回路１３を介してコンピューター装置１２に対して出力される。斯かる再生信号がコンピューター装置１２に対して出力される結果、該コンピューター装置１２に設けられているディスプレイに映像信号が映し出されるとともにスピーカーによってオーディオ信号が放音されることになる。斯かる動作が行われる結果、使用者はディスク１に記録されている所望の映像信号やオーディオ信号、即ち例えば映画等を見ることが出来る。
【００３３】
以上に説明したように本実施例における再生動作は行われるが、次に記録動作について説明する。記録動作を行うために記録用のディスク１をターンテーブル３上に載置すると前述したピックアップ制御回路６によるフォーカス制御動作、スピンドルモーター駆動回路１７によるスピンドルモーター２の回転駆動動作及びピックアップ制御回路６によるトラッキング制御動作が行われてディスク情報の読み出し動作が行われるが、この場合における読み出し動作は記録用のディスクに設けられているＰＭＡと呼ばれる領域に記録されている信号に対して行われる。
【００３４】
ターンテーブル３に載置されているディスク１に設けられているＰＭＡ領域には、ディスク１に記録されている信号の位置情報が記録されており、斯かる情報を認識することによって信号を記録することが出来る領域が何処にあるか、また記録可能容量はどの位あるか等の認識動作を行うことが出来る。
【００３５】
斯かる認識動作が行われると、次にディスク１の記録特性に合ったレーザー出力を設定するための動作が行われる。斯かる動作は、ディスク１の内周側に設けられている試し書き領域にレーザー出力を変更しながらテスト信号を記録し、その記録されたテスト信号の再生特性の良否を判定することによって行われるが、斯かる動作は周知の技術を利用して行うことが出来るのでその説明は省略する。
【００３６】
以上に説明した動作が行われると、システム制御回路１１から記録動作を行うことが出来る状況になったことを知らせる信号がインターフェース回路１３を介してコンピューター装置１２に出力される。斯かる信号を受信することによりコンピューター装置１２は光ディスク記録再生装置が記録動作を行うことが出来る状態になったことを認識することが出来る。
【００３７】
斯かる状態になると、コンピューター装置１２からシステム制御回路１１に対して記録命令信号が出力されるとともにコンピューター装置１２に組み込まれているテレビチューナーにて受信された映像信号やオーディオ信号が記録信号として出力される。
【００３８】
斯かる命令信号をシステム制御回路１１が受信すると該システム制御回路１１に組み込まれているＲＯＭに記憶されているプログラムソフトに基づいて記録動作を行うための制御動作が開始される。斯かる動作は、光学式ピックアップ４をディスク１上の記録開始位置に移動させることから行われるが、斯かる動作はスピンドルモーター駆動回路１７によるスピンドルモーター２の回転駆動動作及びピックアップ制御回路６による光学式ピックアップ４の制御動作によって行われる。
【００３９】
記録開始位置はアドレス情報から得ることが出来るので、スピンドルモーター２の回転速度を記録開始位置における線速度になるように制御することが出来る。そして、光学式
ピックアップ４は、記録開始位置が内周側の場合には対物レンズの変位動作、即ちトラックジャンプ動作により記録開始位置まで変位されるが、記録開始位置が外周側の場合には、ピックアップ送り用モーターの回転駆動によるピックアップ本体の移動動作及び前述したトラックジャンプ動作の組み合わせによって記録開始位置まで変位される。
【００４０】
前述した動作によって光学式ピックアップ４の記録開始位置までの変位動作は行われるが、斯かる動作が行われている間にコンピューター装置１２から送信される記録信号は、インターフェース回路１３及びシステム制御回路１１を介して信号記録用回路１４に入力され、該信号記録用回路１４による制御動作により記録用バッファメモリー１５に書き込まれた状態にある。
【００４１】
図２は記録用バッファメモリー１５における記録信号の記憶状態を示すものであり、斜線部Ｒは記録信号が記憶されている領域を示し、空白部Ｐは信号が記憶されていない領域である。図２の(Ａ)は(Ｂ)と比較して記憶されている記録信号の量が少ないので、空白部、即ち記憶可能領域が多いことが分かる。
【００４２】
斯かる記録用バッファメモリー１５に記憶された記録信号は、光学式ピックアップ４が記録開始位置である所望のセクター位置に移動すると、記録動作を行うために読み出されることになる。前記バッファメモリー１５から読み出された記録信号は、信号記録用回路１４によるエンコード処理が行われ、ディスク１の記録規格に合致した記録信号への変換動作が行われる。
【００４３】
前記信号記録用回路１４にてエンコード処理された記録信号は、レーザーダイオード駆動回路１６に入力される結果、該レーザーダイオード駆動回路１６から光学式ピックアップ４に組み込まれているレーザーダイオードに記録信号に応じて成形されるパルス信号である駆動信号が供給される。斯かる駆動信号がレーザーダイオードに供給されるが、斯かる駆動信号のレベルは、前述した動作によって設定されたレーザー出力になるようにされているので、ディスク１の記録特性に合致したレーザー出力が放射されることになり、ディスク１への記録動作を行うことが出来る。
【００４４】
前述したようにコンピューター装置１２から出力される映像信号やオーディオ信号からなる記録信号は、記録用バッファメモリー１５に一時的に記憶された後に読み出され、信号記録用回路１４によるエンコード処理を行われてディスク１に記録されることになる。そして、斯かる記録動作が行われている間、コンピューター装置１２から連続して出力される記録信号の記録用バッファメモリー１５への書き込み動作が連続して行われるが、該記録用バッファメモリー１５からの記録信号の読み出し動作も連続して行われるので、該記録用バッファメモリー１５に記憶される記録信号がオーバーフローすることはない。
【００４５】
以上に説明したように記録動作が正常に行われる場合の動作は行われるが、次に本発明の要旨である記録制御方法について説明する。前述した記録動作は、記録開始時に行われる光学式ピックアップ４の記録開始位置への移動動作、即ちサーチ動作が速やかに行われた場合の動作であり、記録開始位置に傷が有ったりディスクの回転特性の悪化等によってサーチ動作が速やかに行われなかった場合の動作について説明する。
【００４６】
光学式ピックアップ４の記録開始位置への移動動作が行われたにも関わらず記録開始位置である所望のセクターの位置が検出されない場合には、該記録開始セクターへ光学式ピックアップ４を移動させるための動作が繰り返し行われることになる。斯かる動作は、リトライと呼ばれる動作であり、斯かるリトライ動作が行われているときにも記録信号の記録用バッファメモリー１５への記憶動作は行われた状態にある。従って、所定時間経過すると、バッファメモリー１５における記憶可能領域である空白部Ｐが無くなり、記録信号
がオーバーフローすることになる。
【００４７】
斯かるオーバーフロー動作が行われると、オーバーフローした記録信号のディスク１への記録動作は行われなくなるので、貴重な信号が欠落するという問題が発生することになる。斯かる問題を解決するために本発明では、リトライ動作が行われたとき、記録用バッファメモリー１５に記憶されている記録信号の容量を検出し、その検出量に基づいて記録開始位置の変更動作を行うように構成されている。
【００４８】
前記記録用バッファメモリー１５に記憶されている記録信号の容量を検出すると該記録用バッファメモリー１５の記憶可能容量から該記録信号の記憶容量を差し引くことにより記憶可能容量を認識することが出来る。このようにして記録用バッファメモリー１５の記憶可能容量を認識することが出来るので、この認識された容量の多少に応じてリトライ動作を行うか記録開始位置を次のセクターに変更させる動作を行うかを選択するように本発明は構成されている。
【００４９】
例えば、図２の(Ａ)に示す状態、即ち記憶可能領域が多い場合には、リトライ動作によって記録開始位置に光学式ピックアップ４を移動させるまでに記録用バッファメモリー１５に記憶される記録信号がオーバーフローしないと判断し、記録開始位置へのリトライ動作を行い、図２の(Ｂ)に示す状態は記憶可能領域が少ないので、リトライ動作をによって記録開始位置に光学式ピックアップ４を移動させるまでに記録用バッファメモリー１５に記憶される記録信号がオーバーフローすると判断し、記録開始位置を次のセクターへ変更する動作を行うように構成されている。
【００５０】
記録開始命令に基づいて光学式ピックアップ４を記録開始位置へ移動させたとき、記録開始位置への移動動作が正常に行われなかった場合には、再度光学式ピックアップ４を記録開始位置へ移動させるリトライ動作が行われるが、リトライ動作を行う場合に記録用バッファメモリー１５に記憶されている記録信号の量を検出する動作が行われる。
【００５１】
前記記録用バッファメモリー１５に記憶されている記録信号の量が図２の(Ａ)に示す量であった場合には、リトライ動作を行う間に記録信号がオーバーフローすることがないので、リトライ動作をそのまま行い、光学式ピックアップ４の記録開始位置への移動動作が行われる。斯かる動作によって光学式ピックアップ４の記録開始位置への移動動作が正常に行われた場合には、その記録開始位置から記録信号の記録動作が行われる。
【００５２】
リトライ動作によって記録開始位置に光学式ピックアップ４を正常に移動させることが出来なかった場合には、再度リトライ動作が行われるが、この場合にも記録用バッファメモリー１５に記憶されている記録信号の量を検出する動作が行われる。記録信号の量が少ない場合には、前述した記録開始位置への移動動作が行われることになる。
【００５３】
前述したリトライ動作が行われる毎に記録用バッファメモリー１５に記憶されている記録信号の量を検出する動作が行われるが、斯かるリトライ動作の回数が多くなると、記録用バッファメモリー１５に記憶されている記録信号の量が図２の(Ｂ)に示すように増加することになる。検出動作によって記録用バッファメモリー１５に記憶されている記録信号の量が図２の(Ｂ)の状態にあることが検出されると、記録開始位置を次のセクターに変更する動作が行われる。
【００５４】
記録開始位置が次のセクターに変更されると、該変更セクターへの光学式ピックアップ４の移動動作が行われ、該変更セクターへの光学式ピックアップ４の移動動作が正常に行われると、該変更セクターから記録信号の記録動作が行われる。このようにしてディスク１への記録動作が開始されるが、記録される信号の記録用バッファメモリー１５からの読
み出し動作は、記録信号の量に基づいて行われる。
【００５５】
斯かる記録信号の読み出し動作は、変更されたセクターへの光学式ピックアップ４の移動動作に要する時間に基づいて行われる、即ち、変更セクターへの移動動作が行われたとき記録用バッファメモリー１５をオーバーフローする信号が存在することになるため、オーバーフローしない位置に記憶されている記録信号から読み出すことによって記録動作が行われることになる。即ち、図２の(Ｂ)において、変更セクターへの移動動作を行う場合に光学式ピックアップ４の移動動作に要する時間との関係からＲ１に記憶されている記録信号がオーバーフローすると判定されたときには、Ｒ２に記憶されている記録信号の読み出し動作を行い、このＲ２に記憶されている信号から変更セクターに対して記録されることになる。同様にＲ１及びＲ２に記憶されている信号がオーバーフローすると判定されたときには、Ｒ３に記憶されている記録信号の読み出し動作を行い、このＲ３に記憶されている信号から変更セクターに対して記録されることになる。
【００５６】
このように記録開始位置を次のセクターへ変更する動作が行われた場合に記録用バッファメモリー１５に記憶されている記録信号の量に基づいて記録させる記録信号の選択動作が行われる結果、記録動作を行わないで捨てる信号の量を最小限に抑えることが出来る。
【００５７】
記録開始位置を次のセクターへ変更させる動作が行われたにも関わらず変更セクターへの光学式ピックアップ４の移動動作が正常に行えなかった場合には、記録動作を正常に行うことが出来ないと判定し、記録異常としての処理動作を行う。斯かる処理動作は、コンピューター装置１２に対しては、記録動作を行うことが出来ないことを報知する信号を出力するとともに記録動作を行う状態から停止状態に切り換える動作が行われる。
【００５８】
斯かる処理動作が行われると、使用者はディスクの交換を行って記録動作を再開させるための操作を行うことになる。
【図面の簡単な説明】
【００５９】
【図１】本発明の記録制御方法に係る光ディスク記録再生装置の一実施例を示す回路図である。
【図２】本発明の動作を説明するための説明図である。
【符号の説明】
【００６０】
１        ディスク
２        スピンドルモーター
４        光学式ピックアップ
５        ＲＦ信号増幅回路
６        ピックアップ制御回路
８        デジタル信号処理回路
１１        システム制御回路
１２        コンピューター装置
１３        インターフェース回路
１４        信号記録用回路
１５        記録用バッファメモリー
１６        レーザーダイオード駆動回路
【図１】
2005293674.tif 000003
【図２】
2005293674.tif 000004